(57)【要約】【課題】小便器を殺菌し尿石発生を抑えて衛生状態を維持し、尿石の除去をするための大掛かりな改修工事費を大幅に削減できるシステムを提供すること。【解決手段】小便器の直上部に位置する流水管にオゾン水が送られ、オゾン水によってバクテリアの活動を抑制し尿の分解を抑えて洗浄・殺菌する小便器の尿石等発生抑止システムであり、オゾン水が、オゾン生成器で生成されたオゾンを水道水に溶解して形成される。【選択図】　　　　　図１
2004060419.tif 000002
【特許請求の範囲】
【請求項１】
小便器の直上部に位置する流水管にオゾン水が送られ、オゾン水によってバクテリアの活動を抑制し尿の分解を抑えて洗浄・殺菌する小便器の尿石等発生抑止システムであって、前記オゾン水が、オゾン生成器で生成されたオゾンを水道水に溶解して形成されることを特徴とする小便器の尿石等発生抑止システム。
【請求項２】
周期タイマーを内蔵したオゾン生成器をハイタンクに近接して設置し、オゾン送り管を介してハイタンク内にオゾンを送り込むとともにハイタンク内貯留水がオゾン水に変換され、該オゾン水がハイタンク内自動排水弁から流水管に送られる請求項１に記載の小便器の尿石等発生抑止システム。
【請求項３】
自動フラッシュバルブに周期タイマーを内蔵したオゾン生成器を組み込み、オゾン生成器に水道水を送り込んでオゾン水に変換された水道水が自動フラッシュバルブから流水管に送られる請求項１に記載の小便器の尿石等発生抑止システム。
【請求項４】
流水感知器をそなえたオゾン生成器に水道水を送り込み、オゾン水に変換された水道水がセンサーを備えた自動若しくは手動フラッシュバルブを介して流水管に送られる請求項１に記載の小便器の尿石等発生抑止システム。
【請求項５】
センサーを備えたフラッシュバルブに、センサー感知器を内蔵したオゾン生成器を組み込み、オゾン生成器に水道水を送り込んでオゾン水に変換された水道水がフラッシュバルブから流水管に送られる請求項１に記載の小便器の尿石等発生抑止システム。
【発明の詳細な説明】
【０００１】
【発明の属する技術分野】
本発明は、小便器本体・トラップ部及び排水部における洗浄・殺菌をして尿石等の発生を抑止する小便器の尿石等発生抑止システムに関する。
【０００２】
【従来の技術】
長期間使用された小便器には黄ばみや尿石が発生し、汚れ・悪臭の原因となるなど非衛生この上なく、放置することでトラップ部、汚水管等の排水部が閉塞を起こし、ひいては排水不良になるという問題がある。そこで通常は、小便器本体トラップ部及び排水管等に付着した尿石の除去作業を定期的に行う大掛かりな工事が施されている。
【０００３】
【発明が解決しようとする課題】
排水配管取り替え工事は５〜６年に一度の割合で行われるため、改修工事の作業直後は排水部から悪臭・汚れは除去されるが、日を経るごとにそれらが堆積し次回の改修工事日が近づくにつれ悪臭等は著しくなる。改修工事は各小便器毎に行われるため、多数の小便器を備える会社・ビルなどは莫大な工事料を支払うという問題が発生する。
【０００４】
本発明はこのような従来の問題点を一掃するためのもので、従来のように頻繁な改修工事を施さなくても常に小便器が清潔に保たれて黄ばみや排水部尿石の発生が抑止され、莫大な経済的効果が所期される尿石等発生抑止システムを提供することを課題とする。
【０００５】
【課題を解決するための手段】
すなわち本発明は、小便器の直上部に位置する流水管にオゾン水が送られ、オゾン水によってバクテリアの活動を抑制し尿の分解を抑えて洗浄・殺菌する小便器の尿石等発生抑止システムであって、前記オゾン水が、オゾン生成器で生成されたオゾンを水道水に溶解して形成されることを技術手段とする。
【０００６】
水道水がハイタンクＴに送られる形式の小便器１にあっては、周期タイマーを内蔵したオゾン生成器８をハイタンクＴに近接して設置し、オゾン送り管９を介してハイタンクＴ内貯留水にオゾンを送り込むとともにオゾン水に変換された水道水がハイタンク内の自動排水弁５の働きで流水管に送られるシステムとなる。
【０００７】
自動フラッシュバルブ１０にタイマーを内蔵したオゾン生成器８ａを組み込んだ形式の小便器１にあっては、オゾン生成器８ａに水道水を送り込んでオゾン水に変換された水道水が自動フラッシュバルブ１０から流水管４に送られるシステムとなる。
【０００８】
また流水感知器１１をそなえたオゾン生成器８ｂに水道水を送り込む形式とした小便器１の場合は、オゾン水に変換された水道水がセンサーを備えた自動フラッシュバルブ１０ａ若しくは手動フラッシュバルブを介して流水管４に送られるシステムとなる。
【０００９】
更にセンサーを備えたフラッシュバルブ１０ｂにセンサー感知器を内蔵したオゾン生成器８ｃを組み込む形式とした小便器の場合は、オゾン生成器８ｃで水道水がオゾン水に変換され、フラッシュバルブ１０ｂからオゾン水が流水管に送られるシステムとなる。
【００１０】
【発明の実施の形態】
実施例を図面を参照して説明すると、図１において１は床面２上に並列設置したストール型小便器であり、床面２の直下に各小便器１ごとの排水管３及び共有排水管３ａが配置されている。小便器１の直上部には夫々上部から枝分かれした流水管４があり、この流水管４内に後記する手段で形成されたオゾン水が送られて小便器１がオゾン水によって洗浄・殺菌される仕組みとなる。したがって従来は特にトラップ部と排水管３に堆積した尿石が悪臭・汚れの原因となるが、オゾン水を流すことで殺菌され尿石の発生が抑止される。
【００１１】
流水管４の上部に設置されたハイタンクＴ内の自動排水弁５には、水道管６より水道水７が送り込まれる。上記ハイタンクＴに近接して周期タイマーを内蔵したオゾン生成器８を設置し、オゾン生成器８とハイタンクＴの間に取り付けたオゾン送り管９を通してオゾンをハイタンクＴ内に送り込むことで水道水７がオゾン水に変換される。周期タイマーを内蔵したオゾン生成器８は一定時間毎にオゾンをハイタンクＴ内に送り込み、またハイタンクＴ内の貯留水は、水位が一定以上になると自動排水弁５が開いて放出され、サイホン現象が終了すると再び貯留するという具合に、流水管４を介して間欠的にオゾン水が流出し、小便器１を洗浄・殺菌し尿石の発生を抑止する。
【００１２】
図２は、流水管４の上部に設けた自動フラッシュバルブ１０に周期タイマーを内蔵したオゾン生成器８ａを組み込んだ例を示したもので、水道管６から送られた水道水７がオゾン生成器８でオゾン水に変換され、該オゾン水が自動フラッシュバルブ１０から流水管４に送られるシステムである。自動フラッシュバルブ１０は所定時間経過するとタイマー信号をキャッチして開き、一定量のオゾン水を間欠的に流出して小便器１を洗浄・殺菌する。
【００１３】
図３は流水感知器１１をそなえたオゾン生成器８ｂに水道水７を送り込んだ例を示したもので、オゾン生成器８ｂは流水管４の上部に設けた自動フラッシュバルブ１０ａに密接し、センサー付き自動フラッシュバルブ１０ａが小便器１の前に立った人を感知し、人が去ったことでバルブ１０ａが開いてオゾン水が流出し、このオゾン水が流水管４に流出した信号を流水感知器１１がキャッチして水道管から送られた水道水７をオゾン生成器８が再びオゾン水に変換するという、この作業が繰り返される。なおセンサー付き自動フラッシュバルブ１０ａに替えて手動フラッシュバルブ（図示せず）としてもよい。この場合は小便器１の前面に設けた押ボタンを押すことで手動フラッシュバルブがオゾン水を流水管４に流出する。
【００１４】
図４はセンサー付きオゾン生成内蔵型ラッシュバルブ１０ｂにオゾン生成器８ｃを組み込んだ例を示したもので、水道管６を通ってオゾン生成器８ｃに水道水７が送り込まれてオゾン水に変換され、このオゾン水がフラッシュバルブ１０ｂから流水管４に送り込まれ、流水管４から出たオゾン水によって小便器１が洗浄殺菌される。
【００１５】
オゾンの生成には、大別して紫外線励起法、無声放電法があり、無声放電法の中にプラズマ共振型放電方式、電磁気エネルギー方式があるが、上記実施例におけるオゾン生成器は特に生成法に限定されるものではないものゝ、好ましくは下記する電磁気エネルギー方式を採用する。
【００１６】
すなわち図５（ａ）はオゾン生成器８を示し、ブロアー８３より送られ且つエアー通路８１内に入ったエアー（矢指）が、活性炭入りフィルター処理部８２と逆止弁８２ａを経てオゾン室８４に送られる。オゾン室８４は、電磁気エネルギー放電８５が生じ燒結金属受けセラミックス板Ｐを持つ燒結金属電極８６を設けており、該燒結金属電極８６は高周波直流高電圧発生器８７に連なり、この高周波直流高電圧発生器８７とブロワー８３が制御ボックス８８に夫々接続される。こゝで生成されたオゾンが、オゾン通路管８９を通ってオリフィス式混合室９０に送られる。このオリフィス式混合室９０は、（ｂ）図のように片方（図では左側）から入った水道水７が、通過孔９１を通るときに噴流となり、入口Ａに比較して出口Ｂ側の流速が速くなって圧力が下がり、その結果オゾン通路管８９が正圧、出口Ｂ側が負圧となり、オゾンが混合部９２に吸引されて水に溶解し、水道水がオゾン水となり、流水方向へと押し出される。
【００１７】
オゾン室８４で生成されたオゾンは短時間（２分程度）で分解して酸素に戻り残留しない。それゆえオゾンを生成したのちに１分程度の中止間隔をおき、また生成するというように周期的な生成を繰り返す。オゾン室８４で生成されたオゾンをオゾン通路管８９に周期的に送り出すにはブロアー８３の作動を制御すればよく、そのために制御ボックス８８からの信号が周期的にブロアー８３に及ぶようにする。こうすることによってブロアー８３の作動時にはオゾンが送り出され停止時にはオゾン生成が止むこととなる。なお必要に応じて制御ボックス８８に連なる周期タイマー９３を設ける。運転は制御ボックス８８の本体にてＯＮ・ＯＦＦ押ボタンにて制御する。
【００１８】
オゾンには格別の殺菌力があり、流水管４を通って流出したオゾン水によって小便器１は十分に洗浄・殺菌され、尿石発生が抑止される。
ちなみにオゾンの四大効果として、
１．殺菌：細菌類やＯ−１５７を強力に殺菌
２．脱臭：臭いの元を分解し素早く脱臭
３．漂白：色素を酸化分解して脱色
４．鮮度保持：残留農薬などの分解除去
以上を挙げることができ、特徴として以下のように例示できる。
▲１▼　菌、酵母、カビ、ウイルス等広範囲な効果がある。
▲２▼　瞬時に効果が期待できる。
▲３▼　酸素に変わるため残留したり臭いを残さない。
▲４▼　耐性をもった菌が生じにくい。つまりオゾンによる殺菌は、菌の細胞膜を破壊し、細胞内物質を漏出させることにより細胞を死滅させるので耐性菌を生じない。
▲５▼　オゾンは、空気中に浮遊している雑菌や悪臭を化学分解し、菌を死滅させ浄化する。
【００１９】
【発明の効果】
以上のようにオゾンにはすぐれた殺菌・除菌・防臭効果があり、したがって図１〜図４に示した例のいずれの場合にも小便器はオゾン水によって洗浄・殺菌される。その結果、一番尿石の堆積しやすいトラップ部排水管が常に清浄に保たれ共有排水管にも長期にわたって尿石の発生が抑止される。オゾンの持つ脱臭作用が働いて悪臭の発生も抑止され、また小便器内の黄ばみも、オゾンの持つ漂白効果が遺憾なく発揮されるためその発生が抑止できる。尿石の発生が長期にわたって抑止されることで従来のような定期的な配管取替工事も必要でなく、改修工事がなくなるため大幅な経費の削減が所期される。
【００２０】
排水管・共有排水管を通って排出された汚水がオゾンによって殺菌されているため、下水道を通って外部へと排出された汚水による環境汚染も改善されるという副次的効果がある。
【図面の簡単な説明】
【図１】ハイタンク式オゾン生成器を備えた本発明の実施例図である。
【図２】周期タイマー組込式オゾン生成器内蔵型自動フラッシュバルブを備えた本発明の実施例図である。
【図３】オゾン生成器に流水感知器を備えた本発明の実施例図である。
【図４】センサー付きオゾン生成内蔵型自動フラッシュバルブを備えた本発明の実施例図である。
【図５】（ａ）はオゾン生成器のシステム概略図であり、（ｂ）はオリフィス式混合室部分の説明図である。
【符号の説明】
１　　小便器
２　　床面
３　　排水管
３ａ　共有排水管
４　　流水管
Ｔ　　ハイタンク
５　　自動排水弁
６　　水道管
７　　水道水
８・８ａ・８ｂ・８ｃ　オゾン生成器
９　　オゾン送り管
１０　自動フラッシュバルブ
１０ａセンサー付き自動フラッシュバルブ
１０ｂセンサー付きオゾン生成内蔵型フラッシュバルブ
１１　流水感知器
【図１】
2004060419.tif 000003
【図２】
2004060419.tif 000004
【図３】
2004060419.tif 000005
【図４】
2004060419.tif 000006
【図５】
2004060419.tif 000007